(57)【要約】【課題】  シンク下のキャビネットや吊り戸棚等を水切りスペースとしてではなく収納スペースとして有効に活用するために、シンク下のキャビネットやシンク上方の吊り戸棚ではない位置にあるシンク本体内において、収納型の水切り棚を設けたシンクを提供する。【解決手段】  シンク本体３の内壁３１に収納された水切り棚２がシンク本体３内に引き出し自在であることを特徴とするシンク１。【選択図】図１
2008206602.tif 000002
【特許請求の範囲】
【請求項１】
シンク本体の内壁背後に収納された水切り棚がシンク本体内に引き出し自在であることを特徴とするシンク。
【請求項２】
シンク本体の横側内壁背後にキャビネットがあって、キャビネットに水切り棚が収納されることを特徴とする請求項１記載のシンク。
【請求項３】
水切り棚が食器洗い乾燥装置を有していることを特徴とする請求項１または２に記載のシンク。
【発明の詳細な説明】
【技術分野】
【０００１】
本発明は、シンクに関するものである。
【背景技術】
【０００２】
水切りとは、水分を取ること、あるいは水分を取るための用具を指し、水切り棚板、水切り籠、水切り板等、水切り棚と総称される。近年では、洗浄装置や乾燥装置を組み込んだ水切り棚にて構成される食器洗い乾燥機もよく用いられている。
【０００３】
これら水切り棚は、一般的にシンク周りに設けられるが、例えば、シンク本体の両辺に橋架けされたシンク本体内設置の水切り棚は、食器等を洗浄後、姿勢を変えずに食器を水切り棚へセットでき、食器等に付着した水はシンク本体内に落ちるため、床やキッチン天板上を濡らしてしまう心配もないため、家庭ではよく用いられている。ただし、この水切り棚は、水切り中は、シンク本体内のスペースを占有してしまうという問題点があった。
【０００４】
一方、シンク本体内のスペースを有効活用するという点では、台所の壁面（特許文献１）、キッチンに設けられた対面式カウンター（特許文献２）やバックカウンター（特許文献３）等、様々な設置場所が考慮されたシンク外設置の水切り棚が挙げられるが、洗浄後の食器等を水切り棚に移動する際に、食器等に付着した水が滴り、床やキッチン天板上を濡らしてしまう問題点や、食器等を洗浄した後に姿勢を変えずにそのままの姿勢で食器等を水切り棚へセットすることができないため、前記シンク本体内設置の水切り棚よりも作業効率が劣るという問題点があった。
【特許文献１】特開平６−３２７６１０号公報
【特許文献２】特開平８−１１７１２３号公報
【特許文献３】実開平６−０７０６３８号公報
【発明の開示】
【発明が解決しようとする課題】
【０００５】
本発明は、以上の通りの事情に鑑みてなされたものであり、床やキッチン天板上を濡らしてしまうことがなく、また、食器等を洗浄した後に姿勢を変えずにそのままの姿勢で食器等を水切り棚へセットすることができ、さらに、水切り中もシンク本体内のスペースを有効に活用することができるシンクを提供することを課題としている。
【課題を解決するための手段】
【０００６】
本発明は、上記の課題を解決するために、第１には、シンク本体の内壁背後に収納された水切り棚がシンク本体内に引き出し自在であることを特徴としている。
【０００７】
第２には、シンク本体の横側内壁背後にキャビネットがあって、キャビネットに水切り棚が収納されることを特徴としている。
【０００８】
第３には、水切り棚が食器洗い乾燥装置を有していることを特徴としている。
【発明の効果】
【０００９】
上記第１の発明によれば、水切り棚をシンク本体内に引き出して、洗浄後の食器等をシンク本体内で水切り棚にセットできるため、床やキッチン天板上を濡らしてしまうことがなく、また、食器等を洗浄した後に姿勢を変えずにそのままの姿勢で食器等を水切り棚へセットすることができて使い勝手がよく、さらに、食器等を水切り棚へセットしてから水切り棚をシンク本体の内壁背後に収納、より詳細には、第２の発明のように、シンク本体の横側内壁背後にあるキャビネットに水切り棚を収納することによって、シンク本体内のスペースを有効に活用することができる。
【００１０】
上記第３の発明によれば、上記第１の発明の効果に加えて、食器等の洗浄、乾燥を自動的に行うことができるので、これらの作業の手間を省くことができる。
【発明を実施するための最良の形態】
【００１１】
まず、シンクなる用語は、一般的には、リビングキッチン、洗面台等において、蛇口等を有し、水を流すための排水口が形成された金属、石材あるいはセラミックス製の流し槽を有する流し装置を指す用語である。ただし、本発明においては、蛇口等からの水を流すための排水口が形成された流し槽をシンク本体と称し、シンク本体と水切り棚とを合わせてシンクと称する。
【００１２】
以下、本発明のシンクについて詳しく説明する。
【００１３】
図１は、本発明のシンクの一実施形態であって、水切り棚をシンク本体内に引き出した際の要部拡大斜視図である。
【００１４】
図２は、本発明のシンクの一実施形態であって、水切り棚をシンク本体の内壁背後に収納させた際の要部拡大斜視図である。
【００１５】
図３は、本発明のシンクの一実施形態の斜視図である。
【００１６】
図１、２のように、本発明のシンク１は、水切り棚２とシンク本体３からなる。そして、本発明の特徴として、シンク本体３の内壁３１背後に収納された水切り棚２がシンク本体３内に引き出し自在である。本発明のシンク１は、このような主構造を有していれば、その他の構造は特に制限されない。ただし、例えば、図１、２のシンク１は、本発明の一実施形態として、図３のように、蛇口５１やクッキングヒーター５２が設けられたリビングキッチン５の一部として使用されたものとすることができ、シンク１の実施形態は特に制限されず、リビングキッチン５でもよいし、洗面台等でもよい。
【００１７】
本発明のシンク１は、より具体的には図１、２のように、シンク本体３の内壁３１に開口３２が設けられている。なお、シンク本体３の内壁３１背後に収納された水切り棚２がシンク本体３内に引き出し自在であるということは、当然にリビングキッチン５には、水切り棚２を収納可能な程度の大きさのキャビネット４が設けられていることは言うまでもない。つまり、シンク本体３の横側内壁３１背後にキャビネット４があって、キャビネット４に水切り棚２が収納される。また、本発明のシンク１の水切り棚２は、シンク本体３の内壁３１の開口３２を覆うための、開口３２と略同一形状の蓋体３３（３１）と固定一体化されている。蓋体３３（３１）は、水切り棚２の収納時に、シンク本体３の内壁３１と面一となり、同内壁３１の一部である。つまり、シンク本体３の内壁３１の一部と水切り棚２とが常に、直接的または間接的に固定一体化されており、両者が切り離されて使用されることはない。なお、蓋体３３（３１）には、引き出し把手３４を設け、引き出し把手３４を用いることによって引き出しを容易とすることが好ましい。
【００１８】
このような構造によって、水切り棚２は、シンク本体３の内壁３１の開口３２に押し込んで、キャビネット４に収納することも、シンク本体３内に引き出すことも自在とされている。
【００１９】
以上のような本発明によって、水切り棚２をシンク本体３内に引き出して、洗浄後の食器等をシンク本体３内で水切り棚２にセットできるため、床やキッチン天板上を濡らしてしまうことがなく、また、食器等を洗浄した後に姿勢を変えずにそのままの姿勢で食器等を水切り棚２にセットすることができて使い勝手がよく、さらに、食器等を水切り棚２へセットしてから水切り棚２をシンク本体３の内壁３１背後に収納、より詳細には、シンク本体３の横側内壁３１背後にあるキャビネット４（横側内壁３１の横に設けられたキャビネット４）に水切り棚２を収納することによって、シンク本体３内のスペースを有効に活用することができる。
【００２０】
さらに、本発明は、水切り棚が食器洗い乾燥装置を有していてもよく、つまり水切り棚が食器洗い乾燥機であってもよく、食器等の洗浄、乾燥を自動的に行うことができるので、これらの作業の手間を省くことができる。
【００２１】
なお、以上のような本発明のシンクの細部に関しては、様々な態様が可能であり、上記の実施形態に限定されるものではない。
【図面の簡単な説明】
【００２２】
【図１】本発明のシンクの一実施形態であって、水切り棚をシンク本体内に引き出した際の要部拡大斜視図である。
【図２】本発明のシンクの一実施形態であって、水切り棚をシンク本体の内壁背後に収納させた際の要部拡大斜視図である。
【図３】本発明のシンクの一実施形態の斜視図である。
【符号の説明】
【００２３】
１  シンク
２  水切り棚
３  シンク本体
３１  内壁
３２  開口
３３  蓋体（３１）
３４  引き出し把手
４  キャビネット
５  リビングキッチン
５１  蛇口
５２  クッキングヒーター
【図１】
2008206602.tif 000003
【図２】
2008206602.tif 000004
【図３】
2008206602.tif 000005